(57)【要約】【課題】  狭いスペースに複数台の自動販売機を設置し得るようにするとともに、安全に自動販売機を利用し得るようにすること。【解決手段】  通行する車輛が道路にはみ出さないで通行できるだけの幅をもって形成された車通行帯５Ａ，５Ｂに隣接して、回転台２６上に複数台の自動販売機１０１，１０２，１０３，１０４を載置し、それらの自動販売機が回転台２６とともに回転できるようにした回転式自動販売機集合体（Ｘ，Ｙ，Ｚ又はＱ）を設置する。  回転台２６を回転させる方式は、電動機の回転をベルトとプーリーを介して回転台の回転軸に伝える方式や電動機の回転を歯車を介して回転台に伝える方式等が考えられる。  回転台２６上の各自動販売機は、昇降可能とすることができ、車高の高い車輛や車高の低い車輛に合わせて最適の高さに位置決めされるようにすることができる。  回転式自動販売機設置スペース及び車輛の停車スペースの上方は、屋根７で覆われるのが望ましい。【選択図】    図４
2006107122.tif 000002
【特許請求の範囲】
【請求項１】
適宜の駆動手段（３６，３７，３８）によって回転させられる回転台（２６）の上に複数台の自動販売機（１０１，１０２，１０３，１０４）を設けてなる回転式自動販売機集合体。
【請求項２】
通行する車輛が道路にはみ出さないで通行できるだけの幅をもって形成された車通行帯（５Ａ，５Ｂ）に隣接した店舗スペース（４）に、適宜の駆動手段（３６，３７，３８）によって回転させられる回転台（２６）の上に複数台の自動販売機（１０１，１０２，１０３，１０４）を設けてなる回転式自動販売機集合体（Ｘ，Ｙ，Ｚ）を設置したことを特徴とする自動販売機店舗設備。
【請求項３】
硬貨投入口（７１）、商品選択用操作ボタン（６３ａ〜６５ｃ）、商品取出し口（６６）等の自動販売機操作手段の位置が高い高位置用自動販売機を複数台回転台（２６）の上に設けた高位置用自動販売機集合体（Ｘ）と自動販売機操作手段の位置が低い低位置用自動販売機を複数台回転台（２６）の上に設けた低位置用自動販売機集合体（Ｙ）とを併設したことを特徴とする請求項２記載の自動販売機店舗設備。
【請求項４】
自動販売機（１０１，１０２，１０３，１０４）が、硬貨投入口（７１）、商品選択用操作ボタン（６３ａ〜６５ｃ）、商品取出し口（６６）等の自動販売機操作手段の位置を高位置と低位置に変更させることのできる自動販売機操作手段の高さ変更手段を備えていることを特徴とする請求項２記載の自動販売機店舗設備。
【発明の詳細な説明】
【技術分野】
【０００１】
本願発明は、自動販売機集合体及び道路に隣接して設置される自動販売機店舗設備に関するものである。
【背景技術】
【０００２】
道路に沿った空地に、各種ドリンクやタバコ等の自動販売機を設置した自動販売機店舗設備は多いが、多くの場合、商品取出し口が低位置にあるとともに、運転席と反対側の助手席側にあるために、ドライバーなどの車輛乗員がジュース等の各種商品を買おうとする場合は、一々車輛から降りなければならないという不便さがあるとともに、駐車した車輛が交通の妨げとなるという問題がある。
【０００３】
一方、各種商品の取出し口を車輛の運転席の高さに設定して、乗車したまま各種商品を購入することができるようにしたドライブスルー形式の自動販売機店舗設備を提案したものとして特許第３０２５８６８号（特許文献１）がある。この特許文献１の発明は、図１３に示すように、道路に沿った空地に１または２列以上の自動販売機の列を道路に背中を向けた状態で設置するものであり、その目的の１つは、自動販売機の背面を広告表示板として利用することである。
【０００４】
ところで、この従来発明は、ドライブスルー形式の自動販売機店舗設備を提案した点ではすぐれたものであるが、なお、次のような点で改良の余地があるものと思われる。
【０００５】
すなわち、この従来例の場合は、車高の高い車輛用の自動販売機５０Ｈと車高の低い車輛用の自動販売機５０Ｌとを別々に、しかも直列状に設置しているために、多数の自動販売機と、それらを設置するための比較的広い面積の敷地を必要とする。
【０００６】
また、この従来例の場合は、各自動販売機５０Ｈ，５０Ｌが全て道路に背中を向けているために、自動販売機店舗設備に近い側の車線１Ｂを走行する車輛は、入口８から矢印Ｂ1のように進入してそのまま出口９から矢印Ｂ2のように車線に戻ればよいが、自動販売機店舗設備から遠い反対側の車線１Ａを走行する車輛は矢印Ａ1で示すように、入口８から進入して矢印Ａ2で示すように出口９から車線１Ａに戻るためには、自動販売機の列を１回りする必要がある（一般的な右ハンドル車の場合）。
【０００７】
【特許文献１】特許第３０２５８６８号
【発明の開示】
【発明が解決しようとする課題】
【０００８】
本願発明は、前記特許文献１の発明を参考としてなされたものであるが、なお、上記のような問題を改善しようとしてなされたものであり、次のような構成からなっている。
【課題を解決するための手段】
【０００９】
すなわち、本願発明の回転式自動販売機集合体は、図５、図９及び図１１に例示するように、回転台２６上に複数台の自動販売機１０１，１０２，１０３，１０４を載置し、それらの自動販売機が回転台２６とともに回転できるようにして構成される。各自動販売機としては、缶ジュース、缶コーヒー、ペットボトル入り茶のようなドリンク類を集約販売するドリンク類用自動販売機や、タバコ用自動販売機、靴下、下着等の日用品類用の自動販売機、あるいはパンや菓子などのスナック食品用の自動販売機、その他野菜や果物等の産地直売品用の自動販売機等があり、さらにドリンク類用自動販売機のような場合は、各ドリンクメーカー別にいくつかの同種商品用自動販売機を並設することができる。
【００１０】
回転台２６を回転させる方式は、いくつか考えられるが、もっとも実現性の高い方式は、電動機の回転をベルトとプーリーを介して回転台の回転軸に伝える方式や電動機の回転を歯車を介して回転台に伝える方式等が考えられる。
【００１１】
回転台２６上の各自動販売機は、昇降可能とすることができ、車高の高い車輛や車高の低い車輛に合わせて最適の高さに位置決めされるようにすることができる。
【００１２】
回転式自動販売機設置スペース及び車輛の停車スペースの上方は、屋根７で覆われるのが望ましい。
【００１３】
また、本願発明の自動販売機店舗設備は、図１及び図２に例示するように、道路１の車線１Ａ，１Ｂから進入できる、しかも通行する車輛が道路にはみ出さないで通行できるだけの幅をもって形成された車通行帯（５Ａ，５Ｂ）に隣接して、回転台２６上に複数台の自動販売機１０１，１０２，１０３，１０４を載置し、それらの自動販売機が回転台２６とともに回転できるようにした回転式自動販売機集合体（Ｘ，Ｙ，又はＺ）を設置して構成される。
【発明の効果】
【００１４】
本願発明の回転式自動販売機集合体は、適宜の駆動手段によって回転させられる回転台２６の上に複数台の自動販売機を設けたものであるから、比較的狭小なスペースに複数台の自動販売機を設置することができる効果がある。
【００１５】
また、本願発明の回転式自動販売機集合体において、各自動販売機の操作手段を高さ変更可能にすれば、車高の高低に合わせて各自動販売機の操作手段の高さを変化させることができ、同一の自動販売機でもって車高の異なる車輛に対応できる効果がある。
【００１６】
さらに、本願発明の自動販売機店舗設備は、通行する車輛が道路にはみ出さないで通行できるだけの幅をもって形成された車通行帯に隣接した店舗スペースに、適宜の駆動手段によって回転させられる回転台の上に複数台の自動販売機を設けてなる回転式自動販売機集合体を設置したものであるから、比較的狭小なスペースに複数台の自動販売機を設置することができるとともに、ドライブスルー形式で車通行帯を通行する車輛の運転者あるいは歩行者に多種類の商品を安全に提供し得る効果がある。しかも、自動販売機で商品を購入するために停車した車輛が交通の妨げとなることがないという効果がある。
【発明を実施するための最良の形態】
【００１７】
続いて、図面を参照して本願発明の好適な実施例にかかる回転式自動販売機集合体及び自動販売機店舗設備を説明するが、本願発明はこの実施例に限定されるものでないことは勿論である。
【００１８】
図３には、本願発明の回転式自動販売機集合体及び自動販売機店舗設備で使用可能な自動販売機の一例が示されている。
【００１９】
図３において、符号５１は外装体、５２は商品陳列部、５３ａ，５３ｂ・・は上段商品、５４ａ，５４ｂ・・は中段商品、５５ａ，５５ｂ・・は下段商品、６３ａ，６３ｂ・・は上段用商品選択ボタン、６４ａ，６４ｂ・・は中段用商品選択ボタン、６５ａ，６５ｂ・・は下段用商品選択ボタン、６６は商品取出し口、７１は硬貨投入口、７２は紙幣投入口、７３は釣銭取出し口、７４は返却レバー、７５は開閉カギ、７６は外装体５１の前面に設けられた受台を示している。
【００２０】
この自動販売機（正面間口約８０ｃｍ，奥行約７０ｃｍ）１００は、普通乗用車や二輪車のように車高（運転席の位置）が低い車輛（及び歩行者）に対応して設置される場合と、大型トラック等のように車高（運転席の位置）が高い車輛に対応して設置される場合とがあり、前者の場合は台座１６なしで設置され、後者の場合は台座１６の上に載せて設置される。
【００２１】
本願発明の自動販売機店舗設備では、この図３に例示のような自動販売機１００を複数台、回転台の上に載せて回転自在にして店舗スペースに設置するものであるが、図１では、車高の高い車輛用の自動販売機（台座１６を使用）（１０１，１０２，１０３，１０４）を４台、回転台２６の上に載置してなる高位置用自動販売機集合体Ｘと、車高の低い車輛用の自動販売機（台座１６を使用しない）（１０１，１０２，１０３，１０４）を４台、回転台２６の上に載置してなる低位置用自動販売機集合体Ｙとを、通行する車輛が道路にはみ出さないで通行できるだけの幅をもって形成された車通行帯５Ａ（又は５Ｂ）に沿って併設した実施例を示し、図２では、回転台２６の上に自動販売機（台座なし）（１０１，１０２，１０３，１０４）を４台載置して自動販売機集合体Ｚとするとともに、それらの自動販売機（１０１，１０２，１０３，１０４）を高位置と低位置の間で昇降可能とした昇降式自動販売機集合体Ｚを車通行帯５Ａ（又は５Ｂ）に隣接して設置した実施例を示している。
【００２２】
先ず、図１に示す第１実施例と図２に示す第２実施例について説明すると、図１に示す第１実施例の場合も、図２に示す第２実施例の場合も、各自動販売機集合体（Ｘ，Ｙ，又はＺ）は、２本の車通行帯５Ａ，５Ｂの間に設置されている（符号１８は車止め用の緑石である）。したがって、道路１の相互に対向する２つの車線１Ａ，１Ｂのいずれを走行する車輛であっても、その進行方向からそのまま、いずれかの車通行帯５Ａ又は５Ｂに進入して自動販売機を利用することができ、スムーズにドライブスルー方式で物品を購入することができる。
【００２３】
図１に示す第１実施例の場合は、自動販売機集合体Ｘ，Ｙを設置する中央部の店舗スペース３の長さを約１０ｍとし、その両側（入口側及び出口側）にそれぞれ長さ約８ｍ以上の車通行用スペースを設けている。図２に示す第２実施例の場合は、中央部の店舗スペース３の長さを約１０ｍとし、その両側にそれぞれ長さ約８ｍ以上の車通行用スペースを設けている。第１実施例の場合も、第２実施例も、店舗スペース３の上方は車通行帯５Ａ，５Ｂ及び自動販売機集合体（Ｘ，Ｙ，又はＺ）を設置した店舗スペース３全体（全幅は約１２ｍ以上）にわたって屋根７で覆われている。
【００２４】
第１，第２いずれの実施例の場合も、通路１の車線１Ａを走行中の車輛は、矢印Ａで示すように、入口８Ａから店舗スペース３の車通行帯５Ａに進入して希望する物品を購入したあと、出口９Ａからもとの車線１Ａに戻ることができ、一方、通路１の車線１Ｂを走行中の車輛は、矢印Ｂで示すように、入口８Ｂから店舗スペース３の車通行帯５Ｂに進入して希望する物品を購入したあと、出口９Ｂからもとの車線１Ｂに戻ることができる。
【００２５】
なお、図１及び図２に示す各実施例においては、自動販売機集合体（Ｘ，Ｙ，又はＺ）の手前側に、各種のお知らせ事項を掲示した案内表示板１０、飲み残しドリンク捨て容器１１、空缶容器１２、空ビン容器１３、ペットボトル容器１４、ゴミ容器１５が順次設置されている。
【００２６】
次に、図１の実施例における自動販売機集合体（Ｘ，Ｙ）の回転機構を図４ないし図６を参照して説明すると、この実施例では、回転台（直径２４０ｃｍ）２６とその上に載置される４台の自動販売機（図３と同じもの）１０１，１０２，１０３，１０４からなる自動販売機集合体Ｘ，Ｙは、ベアリング又はローラー等の転動体３５を介してリング状のレール３４上に載架され、レール３４上で水平方向に回転可能とされている。回転台２６はその中央部を上下方向に貫通する回転軸３１と一体結合されている。回転軸３１は屋根７側の鉄骨７Ａに取り付けられている軸受３２と床側に固定されている軸受３３とによって回転自在に支承されている。自動販売機集合体Ｘ，Ｙの下側の地面３Ｇには地下空室２５が掘られており、そこには、自動販売機回転用のモータ（減速機つき）３６が据え付けられている。モータ３６の回転軸には歯車３７が取り付けられており、これが回転軸３１側に取り付けた歯車３８と噛み合っている。したがって、モータ３６が左右方向に回転すると、回転軸３１とともに回転台２６が左右方向に回転することになる。回転軸３１には、必要に応じて各種看板３９を取付けてもよい。地下空室２５の入口２５ａはマンホール蓋２８で開閉自在に閉じられており、モータ３６等に対するメンテナンスの必要があるときにはいつでも作業員が地下空室２５内へ出入りできるようになっている。
【００２７】
回転軸３１の内部は図５に示すように、中空となっており、その内部には芯管４１が設けられている。この芯管４１の内部は屋根７側の照明器具等へ給電するための電線類４２の配線スペースとなっている。なお、符号４０は、必要に応じて、各自動販売機の間に取外し自在に取付けられる看板等の板材を示している。
【００２８】
図６に示す高位置用自動販売機集合体Ｘは、各自動販売機１０１，１０２，１０３，１０４が台座１６の上に載せられている点を除けば、図４に示す低位置用自動販売機集合体Ｙと同じ構成とされている。
【００２９】
続いて図１及び図３〜図６に示す実施例の自動販売機店舗設備の作用を説明すると、この自動販売機店舗設備を利用するに際しては、通路１の車線１Ａ側を走行中の車輛は入口８Ａから車通行帯５Ａに進入（車線１Ｂ側を走行中の車輛は入口８Ｂから車通行帯５Ｂに進入）して、それぞれの車輛の種類に応じて、すなわち、運転席が高位置にある大型車輛は高位置用自動販売機集合体Ｘの側方手前で、また運転席が低位置にある中・小型車輛は低位置用自動販売機集合体Ｙの側方手前でそれぞれ停止し、案内表示板１０に掲示されている各種案内事項を読んだ後、さらにそれぞれの自動販売機集合体（Ｘ又はＹ）の側方まで移動する。この場合、案内表示板１０には、回転台２６上の各自動販売機（１０１，１０２，１０３，１０４）からはどのような商品が購入可能かを表示しておき、それぞれの自動販売機に対応したボタンを押せば、車輛が移動する間に、または車輛停止後、希望する自動販売機が車輛の側方に位置するように回転台２６の回転を制御する機構を付設することができる。あるいは、回転台２６上の各自動販売機（１０１，１０２，１０３，１０４）の適所（運転席から手の届く位置）に回転台２６を一定角度ずつ回転させ、且つその回転を停止させることのできるスイッチを設けておき、運転者が手動で回転台２６を回転（回転軸３１を回転）させ、またその回転を停止させるようにしてもよい。
【００３０】
運転者は、希望する商品に対応した自動販売機（１０１，１０２，１０３，１０４）が側方に来て停止すると、続いて図３に示す硬貨投入口７１又は紙幣投入口７２に硬貨又は紙幣を投入したあと、商品選択ボタン６３ａ〜６５ｃのいずれかを押して希望する商品を購入する（商品は、商品取出し口６６から取り出し、釣銭は釣銭取出し口７３から取り出す）。この場合、硬貨や紙幣が手からすべり落ちても、下方に設けた受台７６上に落ちるようにしておけば、車から降りなくても容易に取り戻すことができる。
【００３１】
このように、図１に示す自動販売機店舗設備を利用すれば、ドライブスルー形式で車に乗ったままで容易に希望する商品を購入することができる。また、屋根７があるので雨に濡れることもなく、さらに道路１に停車しないので、安全であり、また交通の妨げになることもない。
【００３２】
次に、図２及び図７ないし図９を参照して本願発明の第２および第３の実施例にかかる自動販売機店舗設備を説明すると、図７には、回転台２６上の各自動販売機（１０１，１０２，１０３，１０４）が、リンク装置４４と油圧シリンダ４５の組合からなるリフト装置４３によって昇降する（運転席の高さに合わせた範囲で）実施例（第２実施例）が示され、図８には、回転台２６上の各自動販売機（１０１，１０２，１０３，１０４）が上方の上部回転板５６に取り付けたウインチ５８（モータ５７で駆動される）とワイヤー５９とによって昇降させられる（運転席の高さに合わせた範囲で）実施例（第３実施例）が示されている。上部回転板５６は回転軸３１に一体結合されており、回転軸３１及び回転台２６と一体的に回転する。図７及び図８の実施例の場合は、回転台２６上に各自動販売機（１０１，１０２，１０３，１０４）の上下動を安全かつ円滑に行わせるための何らかのガイド機構が設けられるとよい（図８の実施例の場合は、図９に示すように、各自動販売機の背面に四角枠状のガイド部材６１が設けられており、各自動販売機の上下動に際して各自動販売機の背面を昇降可能に保持する）。
【００３３】
なお、図７、図８に示す各実施例の自動販売機店舗設備におけるその他の部分で図４中の符号と同一符号を付されている部分の構造と作用は、図４に示す第１実施例のものと同じであるのでその説明を省略する。
【００３４】
次に、図１０ないし図１２を参照して本願発明のさらに他の実施例（第４実施例）について説明すると、図１０及び図１１に示す第４実施例の自動販売機集合体Ｑは、店舗スペース３に形成したコンクリート基礎３Ｑ中に固定柱４１を鉛直に立設し、その周りで軸受３２，３３を介して回転軸３１を回転させるようにしている。回転軸３１に回転台２６が一体結合されており、回転軸３１が回転するとレール３４上で回転台２６が左右方向に回転する点については、図４、図６の実施例の場合と同じである。この図１０の実施例の場合は、固定柱４１の頂部付近にモータ基台３６Ａを介してモータ３６を取付けておき、モータ軸に取付けている歯車３７と回転軸３１の頂部付近に取付けている歯車３８とを噛合させることにより、モータ３６の回転を回転軸３１及び回転台２６に伝達するようにしている。
【００３５】
図１０の実施例においても図７の実施例と同様、各自動販売機の下に設けたリンク装置４４と油圧シリンダ４５からなるリフト装置４３によって自動販売機１０１，１０２，１０３，１０４を昇降させ得るようになっている（昇降高さ約３０ｃｍ）。なお、各自動販売機の構成は図３に示すものと同じである。
【００３６】
図１０の実施例では固定柱４１の頂部に円錐形状の屋根７７を設けている。符号７８は屋根取付用の梁である。車通行帯５Ｑの上方にも屋根７が設けられている。図１０および図１１において、符号４６は各自動販売機の周りを囲む雨除け用の透明なプラスチック製の円形のカバーであり、車輛が通過する車通行帯５Ｑ側のみが開放されている。このカバーは、たとえば支持用棒材４７によって屋根７７側から吊下げて支持することができる。なお、このカバー４６と回転台２６との間は、幼児等が入り込んでもはさまれないようにするために５０ｃｍ以上の隙間を設けるとよい。回転台２６から下側の部分を台形状円形のカバー６０で覆うと見映えがよくなるとともに、回転台２６の下側にゴミなどがい入り込むのを防止することができる（図４及び図６の実施例についても同じ）。
【００３７】
図１２は図１０に示す自動販売機集合体Ｑの配置例を示しており、この実施例では道路１に沿って２基（１基でも、あるいは３基以上でもよい）の自動販売機集合体Ｑを設置している状態を示している。。この実施例では、自動販売機を利用しようとする車輛は、入口８から店舗用敷地２内に進入し、車誘導用ラインにしたがって進行して自動販売機集合体Ｑの横で停止し、物品を購入したあと出口９から道路１の車線１Ａ又は１Ｂに戻ることができる。図１１において符号１０は案内表示板、１１は飲み残しドリンク捨て容器、１２は空缶容器、１３は空ビン容器、１４はペットボトル容器、１５はゴミ容器を示している。
【００３８】
この第４実施例の場合も、運転者は、案内表示板１０に掲示されている各種案内事項を読んだ後、各自動販売機集合体（Ｑ）の側方まで移動する。この場合も、案内表示板１０には、回転台２６上の各自動販売機（１０１，１０２，１０３，１０４）からはどのような商品が購入可能かを表示しておき、それぞれの自動販売機に対応したボタンを押せば、車輛が移動する間に、または車輛停止後、希望する自動販売機が車輛の側方に位置するように回転台２６の回転を制御する機構を付設することができる。あるいは、回転台２６上の各自動販売機（１０１，１０２，１０３，１０４）の適所（運転席から手の届く位置）に回転台２６を一定角度ずつ回転させ、且つその回転を停止させることのできるスイッチを設けておき、運転者が手動で回転台２６を回転（回転軸３１を回転）させ、またその回転を停止させるようにしてもよい。
【００３９】
運転者は、希望する商品に対応した自動販売機（１０１，１０２，１０３，１０４）が側方に来て停止すると、続いて図３に示す硬貨投入口７１又は紙幣投入口７２に硬貨又は紙幣を投入したあと、商品選択ボタン６３ａ〜６５ｃのいずれかを押して希望する商品を購入する（商品は、商品取出し口６６から取り出し、釣銭は釣銭取出し口７３から取り出す）。この場合、硬貨や紙幣が手からすべり落ちても、下方に設けた受台７６上に落ちるようにしておけば、車から降りなくても容易に取り戻すことができる。
【００４０】
なお、図１０、図１１に示す実施例の自動販売機店舗設備におけるその他の部分で図４及び図５中の符号と同一符号を付されている部分の構造と作用は、説明内容が矛盾しない範囲において図４及び図５に示す第１実施例のものと同じであるのでその説明を省略する。
【図面の簡単な説明】
【００４１】
【図１】本願発明の実施例にかかる自動販売機店舗設備の構成概念図である。
【図２】本願発明の他の実施例にかかる自動販売機店舗設備の構成概念図である。
【図３】本願発明の実施例で使用する自動販売機の一例を示す正面図である。
【図４】本願発明の実施例にかかる自動販売機店舗設備における自動販売機集合体の構成概念図である。
【図５】図４における自動販売機集合体部分のＶ−Ｖ断面図である。
【図６】本願発明の他の実施例にかかる自動販売機店舗設備における自動販売機集合体部分の構成概念図である。
【図７】本願発明のさらに他の実施例にかかる自動販売機店舗設備における自動販売機集合体部分の構成概念図である。
【図８】本願発明のさらに他の実施例にかかる自動販売機店舗設備における自動販売機集合体部分の構成概念図である。
【図９】図８におけるＩＸ−ＩＸ断面図である。
【図１０】本願発明の第４実施例にかかる自動販売機店舗設備における自動販売機集合体の構成概念図である。
【図１１】図１０における自動販売機集合体部分のＸＩ−ＸＩ断面図である。
【図１２】図１０に示す自動販売機集合体の配置例説明図である。
【図１３】従来公知の自動販売機店舗設備の説明図である。
【符号の説明】
【００４２】
１は道路、３は店舗スペース、５Ａ，５Ｂは車通行帯、７は屋根、８Ａ，８Ｂは車入口、９Ａ，９Ｂは車出口、１０は案内表示板、１１は飲み残しドリンク捨て容器、１２は空缶容器、１３は空ビン容器、１４はペットボトル容器、１５はゴミ容器、１６は台座、１８は縁石、２５は地下空室、２６は回転台、２８はマンホール蓋、３０は自動販売機集合体、３１は回転軸、３２，３３は軸受、３４はレール、３５は車輪、３６はモータ、３７は歯車、３８は歯車、４１は筒体、４２は電線、４３はリフト装置、１０１，１０２，１０３，１０４は自動販売機である。
【図１】
2006107122.tif 000003
【図２】
2006107122.tif 000004
【図３】
2006107122.tif 000005
【図４】
2006107122.tif 000006
【図５】
2006107122.tif 000007
【図６】
2006107122.tif 000008
【図７】
2006107122.tif 000009
【図８】
2006107122.tif 000010
【図９】
2006107122.tif 000011
【図１０】
2006107122.tif 000012
【図１１】
2006107122.tif 000013
【図１２】
2006107122.tif 000014
【図１３】
2006107122.tif 000015